(57)【要約】【課題】  メッシュ構造部を有する雨樋落葉除けの取付けのための雨樋落葉除けの切除加工が効率的にできる一方、発生したメッシュ切除片の散乱を効果的に回避し得る雨樋落葉除け用メッシュ切除加工具を提供する。【解決手段】  鋏形に開閉動可能に軸支された一対の挟持部１の先端に相互に嵌合可能な一対の略矩形箱型形状の刀部材２を備え、この刀部材２を形成する立設片３、４、５のうち、少なくとも前記挟持部１の最先端に位置する立設片３及びこれと隣接する立設片４、５とが、それぞれ対応するブレード部６、７、８を備えているので、メッシュ構造部を有する雨樋落葉除けの取付けのための雨樋落葉除けの切除加工に際して、一回のみの切除作業でメッシュ構造部を所定寸法に切除し、簡易且つ再現性良く、所望の切除部を形成でき、施工作業の省力化に寄与し得る。【選択図】図１
2006037369.tif 000002
【特許請求の範囲】
【請求項１】
鋏形に開閉動可能に軸支された一対の挟持部の先端に相互に嵌合可能な一対の略矩形箱型形状の刀部材を備えた雨樋落葉除け用メッシュ切除加工具であって、前記略矩形箱型形状の刀部材を形成する立設片のうち、少なくとも前記挟持部の最先端に位置する立設片及びこれと隣接する立設片とが、ブレード部を備えることを特徴とする雨樋落葉除け用メッシュ切除加工具。
【請求項２】
前記略矩形箱型形状の刀部材の内部底面に切除加工後のメッシュ切除片を収容し得ることを特徴とする請求項１記載の雨樋落葉除け用メッシュ切除加工具。
【発明の詳細な説明】
【技術分野】
【０００１】
本発明は、雨樋の上方開口部を覆う雨樋落葉除け用メッシュの切除加工具に関するものである。
【背景技術】
【０００２】
従来、雨樋の上方開口部を覆う雨樋落葉除けとしては、種々のものが知られているが、例えば、実開昭５８−６０７１７号公報等に開示するように雨樋１７の開口部１８を覆うメッシュ構造部１４を有する雨樋落葉除け１９が例示可能である（図２参照）。ここで、図２は、従来例に係る雨樋落葉除け１９である雨樋ごみよけ網１９ａの構成の概略を模式的に示すもので、（ａ）は、雨樋ごみよけ網１９ａの斜視図、（ｂ）は、その使用状態説明図である。
【０００３】
一方、かかるメッシュ構造部１４を有する雨樋落葉除け１９の取付け方法として、図３に示すように、メッシュ構造部１４の軒樋支持具９と重なり合う部位に短冊形状の切除部１０を形成し、この切除部１０と軒樋支持具９とを嵌合した後、メッシュ構造部１４と軒樋支持具９とを針金２１で固定する方法もよく知られている。
【０００４】
しかし、この場合、メッシュ構造部１４を軒樋支持具９の幅と略同一幅に切除するためには、軒樋支持具９の幅を確認、測定してから切除し、切除部１０を形成する必要があり、煩雑な作業が要求される。すなわち、メッシュ構造部１４を軒樋支持具９の幅と略同一幅に切除する際、通常、ハサミ１３が使用されるが、切除部１０を１箇所形成するに際して、最低３回は、ハサミ１３を通さなければならず（図３中、（Ａ）、（Ｂ）、（Ｃ））、これに加えて、雨樋１７に対して納まりよく、切除部１０を切除する長さを調節する際には、毎回調節するたび毎に、さらにハサミ１３を通す必要がある。
【０００５】
さらに、通常のハサミ１３による上記切除作業の不都合は、これら切除部１０形成の非効率のみには止まらない。すなわち、切除部１０を形成した際に発生するメッシュ切除片１２の処分の煩雑さの問題、足場の悪い施工作業現場における良好な作業性とこれに伴う安全性の確保の困難さ等（具体的には、例えば、切り取ったメッシュ切除片１２を片手で持っておかなければならず、ハサミ１３を持つ手と合わせて両手がふさがってしまうことによる足場の悪い施工現場における安全性の確保の困難さ等）が挙げられる。
【特許文献１】実開昭５８−６０７１７号公報
【発明の開示】
【発明が解決しようとする課題】
【０００６】
本発明は、上記背景技術に鑑みて発明されたものであり、その課題は、メッシュ構造部を有する雨樋落葉除けの取付けのための雨樋落葉除けの切除加工が効率的にできる一方、発生したメッシュ切除片の散乱を効果的に回避し得る雨樋落葉除け用メッシュ切除加工具を提供することである。
【課題を解決するための手段】
【０００７】
上記課題を解決するために、請求項１に係る発明の雨樋落葉除け用メッシュ切除加工具にあっては、鋏形に開閉動可能に軸支された一対の挟持部の先端に相互に嵌合可能な一対の略矩形箱型形状の刀部材を備えた雨樋落葉除け用メッシュ切除加工具であって、前記略矩形箱型形状の刀部材を形成する立設片のうち、少なくとも前記挟持部の最先端に位置する立設片及びこれと隣接する立設片とが、ブレード部を備えることを特徴とするものである。
【０００８】
請求項２に係る発明の雨樋落葉除け用メッシュ切除加工具にあっては、請求項１記載の雨樋落葉除け用メッシュ切除加工具において、前記略矩形箱型形状の刀部材の内部底面に切除加工後のメッシュ切除片を収容し得ることを特徴とするものである。
【発明の効果】
【０００９】
本発明の雨樋落葉除け用メッシュ切除加工具にあっては、鋏形に開閉動可能に軸支された一対の挟持部の先端に相互に嵌合可能な一対の略矩形箱型形状の刀部材を備えた雨樋落葉除け用メッシュ切除加工具であって、前記略矩形箱型形状の刀部材を形成する立設片のうち、少なくとも前記挟持部の最先端に位置する立設片及びこれと隣接する立設片とが、ブレード部を備えているので、メッシュ構造部を有する雨樋落葉除けの取付けのための雨樋落葉除けの切除加工に際して、軒樋支持具の寸法（幅等）を確認、測定することなく、一回のみの切除作業でメッシュ構造部を所定寸法（具体的には、軒樋支持具の幅と略同一幅）に切除し、簡易且つ再現性良く、所望の切除部を形成でき、施工作業の省力化に寄与し得るというものである。
【発明を実施するための最良の形態】
【００１０】
以下、本発明の実施形態を図面に基づき説明する。なお、本発明の雨樋落葉除け用メッシュ切除加工具は、下記の実施形態にのみ限定されるものではなく、本発明の要旨を逸脱しない範囲内において種々変更を加え得ることは勿論である。ここで、図１は、本発明の一実施形態である雨樋落葉除け用メッシュ切除加工具の構成の概略を示す斜視図である。
【００１１】
すなわち、本実施形態の雨樋落葉除け用メッシュ切除加工具Ａは、図１に示すように、鋏形に開閉動可能に軸支された一対の挟持部１（ここでは、上側挟持部１ａ及び下側挟持部１ｂ）の先端に相互に嵌合可能な一対の略矩形箱型形状の刀部材２（ここでは、上側刀部材２ａ及び下側刀部材２ｂ）を備えた雨樋落葉除け用メッシュ切除加工具である。
さらに、略矩形箱型形状の刀部材２を形成する立設片３、４、５のうち、少なくとも前記挟持部１の最先端に位置する立設片３（ここでは、上側立設片３ａ及び下側立設片３ｂ）及びこれと隣接する立設片４、５（ここでは、上側立設片４ａ、５ａ及び下側立設片４ｂ、５ｂ）とが、それぞれ対応するブレード〔刃〕部６、７、８（ここでは、上側ブレード部６ａ、７ａ、８ａ及び下側ブレード部６ｂ、７ｂ、８ｂ）を備えている。
【００１２】
この場合において、立設片３の幅寸法（Ｌ）は、軒樋支持具９の幅寸法と略同一寸法となっており、本実施形態の雨樋落葉除け用メッシュ切除加工具Ａによる
メッシュ構造部１４の切除部１０の形成に際しては、軒樋支持具９の寸法（幅等）を確認、測定することなく、一回のみの切除作業でメッシュ構造部１４を所定寸法（具体的には、軒樋支持具９の幅と略同一幅）に切除し、簡易且つ再現性良く、所望の切除部１０を形成でき、施工作業の省力化に寄与し得ることとなる。雨樋落葉除け用メッシュ切除加工具Ａによるメッシュ切除加工操作は、取っ手１５を片手のみで操作することにより容易にでき、この意味においても、施工作業の省力化に寄与し得るものといえる。なお、本実施形態の雨樋落葉除け用メッシュ切除加工具Ａにおいては、立設片３、４、５を構成する上側立設片３ａ、４ａ、５ａ、及び、下側立設片３ｂ、４ｂ、５ｂのすべてが、それぞれ対応するブレード部６、７、８である上側ブレード部６ａ、７ａ、８ａ及び下側ブレード部６ｂ、７ｂ、８ｂをすべて備えるものであるが、本発明の雨樋落葉除け用メッシュ切除加工具は、これにのみ限定されるものではなく、例えば、ブレード部６ａ、６ｂのいずれか一方、ブレード部７ａ、７ｂのいずれか一方、或いは、ブレード部８ａ、８ｂのいずれか一方のみを具備するものであっても、所望の切除部１０を、何らの支障なく形成可能であれば、上記課題解決に寄与する限りにおいて何ら制約のないことはいうまでもない。
【００１３】
一方、本実施形態の雨樋落葉除け用メッシュ切除加工具Ａにおいては、図１に示すように、前記略矩形箱型形状の刀部材２の内部底面１１に切除加工後のメッシュ切除片１２を収容し得るものであり、さらに、内部底面１１は、複数枚のメッシュ切除片１２を収容可能とする相当程度の深さを有するものである。
【００１４】
かかる構成を有する雨樋落葉除け用メッシュ切除加工具Ａにおいては、取っ手１５を操作することにより、支点１６で鋏形に開閉動可能に軸支された一対の挟持部１、すなわち、上側挟持部１ａ及び下側挟持部１ｂが駆動され、その先端に設けた相互に嵌合可能な一対の略矩形箱型形状の刀部材２、すなわち、上側刀部材２ａ及び下側刀部材２ｂがメッシュ構造部１４の所定部位を挟持、切断し、所定寸法（具体的には、軒樋支持具９の幅と略同一幅）の切除部１０を形成する一方、この切除部１０を形成した際に生成するメッシュ切除片１２を内部底面１１に収容することができる。このメッシュ切除加工操作を複数回連続して行なった場合、所定回数以内であれば、生成したメッシュ切除片１２を内部底面１１上に積層して収容することができることとなる。
【００１５】
その結果、切除加工後のメッシュ切除片１２が施工現場で散乱する等の不都合を回避し得るのは勿論のこと、切除部１０を形成した際に発生するメッシュ切除片１２を一回の切除作業ごとに処分する必要がなくなり、メッシュ切除片１２の処分の煩雑さを相当程度緩和し得ることとなる。さらにこの場合、例えば、足場の悪い施工現場において、切り取ったメッシュ切除片１２を片手で持つ一方、ハサミ１３を持つ手と合わせて両手がふさがってしまう等の危険をも回避でき、施工現場における安全性の向上に寄与し得ることとなる。
【００１６】
以上のように、本発明の雨樋落葉除け用メッシュ切除加工具にあっては、鋏形に開閉動可能に軸支された一対の挟持部の先端に相互に嵌合可能な一対の略矩形箱型形状の刀部材を備えた雨樋落葉除け用メッシュ切除加工具であって、前記略矩形箱型形状の刀部材を形成する立設片のうち、少なくとも前記挟持部の最先端に位置する立設片及びこれと隣接する立設片とが、ブレード部を備えているので、メッシュ構造部を有する雨樋落葉除けの取付けのための雨樋落葉除けの切除加工に際して、軒樋支持具の寸法（幅等）を確認、測定することなく、一回のみの切除作業でメッシュ構造部を所定寸法（具体的には、軒樋支持具の幅と略同一幅）に切除し、簡易且つ再現性良く、所望の切除部を形成でき、施工作業の省力化に寄与し得るというものである。
【００１７】
また、本発明の雨樋落葉除け用メッシュ切除加工具にあっては、前記略矩形箱型形状の刀部材の内部底面に切除加工後のメッシュ切除片を収容し得るので、切除加工後のメッシュ切除片が施工現場で散乱する等の不都合を回避でき、また、切除部を形成した際に発生するメッシュ切除片を一回の切除作業ごとに処分する必要がなくなり、メッシュ切除片の処分の煩雑さを相当程度緩和し得ることとなる。
【図面の簡単な説明】
【００１８】
【図１】本発明の一実施形態である雨樋落葉除け用メッシュ切除加工具の構成の概略を示す斜視図である。
【図２】従来例に係る雨樋落葉除け（ここでは、雨樋ごみよけ網）の構成の概略を模式的に示すもので、（ａ）は、雨樋ごみよけ網の斜視図、（ｂ）は、その使用状態説明図である。
【図３】メッシュ構造部を有する従来例に係る雨樋落葉除けの取付け方法の概略を例示する図である。
【符号の説明】
【００１９】
１    挟持部
１ａ  上側挟持部
１ｂ  下側挟持部
２    刀部材〔略矩形箱型形状〕
２ａ  上側刀部材
２ｂ  下側刀部材
３    立設片
３ａ  上側立設片
３ｂ  下側立設片
４    立設片
４ａ  上側立設片
４ｂ  下側立設片
５    立設片
５ａ  上側立設片
５ｂ  下側立設片
６    ブレード〔刃〕部（立設片３）
６ａ  上側ブレード部（上側立設片３ａ）
６ｂ  下側ブレード部（下側立設片３ｂ）
７    ブレード〔刃〕部（立設片４）
７ａ  上側ブレード部（上側立設片４ａ）
７ｂ  下側ブレード部（下側立設片４ｂ）
８    ブレード〔刃〕部（立設片５）
８ａ  上側ブレード部（上側立設片５ａ）
８ｂ  下側ブレード部（下側立設片５ｂ）
９    軒樋支持具
１０    切除部（メッシュ構造部１４）
１１    内部底面（刀部材２）
１２    メッシュ切除片
１３    ハサミ
１４    メッシュ構造部
１５    取っ手
１６    支点
１７    雨樋
１８    開口部（雨樋１７）
１９    雨樋落葉除け
１９ａ  雨樋ごみよけ網（従来例）
２０    雨樋取付金具（従来例）
２１    針金
Ａ      雨樋落葉除け用メッシュ切除加工具
【図１】
2006037369.tif 000003
【図２】
2006037369.tif 000004
【図３】
2006037369.tif 000005